(57)【要約】【課題】第１のアンテナと第２のアンテナとの間の相互干渉を簡単かつ確実に抑制して常に良好な受信性能を得られるようにする。【解決手段】平面状に形成されたシート本体部４１とこのシート本体部４１からその平面と平行する第１の方向に突出するように形成された第１の延長部４２ａとを備える磁性体シート４０を用意し、この磁性体シート４０のシート本体部４１の面上にＲＦＩＤ用ループアンテナ５１を形成すると共に、上記第１の延長部４２ａの周面に導線コイルを巻回することによりＡＭ用ヘリカルアンテナ５２を設ける。【選択図】      図２
2008042761.tif 000002
【特許請求の範囲】
【請求項１】
平面状に形成されたシート本体部と、このシート本体部からその平面と平行する第１の方向に突出するように形成された第１の延長部とを備える磁性体シートと、
前記磁性体シートのシート本体部の面上に形成されたループ型の第１のアンテナと、
前記磁性体シートの前記第１の延長部の周面に導線コイルを巻回することにより構成されるヘリカル型の第２のアンテナと
を具備することを特徴とするアンテナ装置。
【請求項２】
前記磁性体シートは、前記シート本体部からその平面と平行しかつ前記第１の方向に対し直交する第２の方向へ突出するように形成された第２の延長部をさらに備え、
前記第２のアンテナは、前記磁性体シートの第１及び第２の延長部の周面にそれぞれ導電コイルを巻回することにより構成される第１及び第２のアンテナ素子を備えることを特徴とする請求項１記載のアンテナ装置。
【請求項３】
前記第１の延長部は、前記シート本体部の表面又は裏面へ当該面と平行な状態に折り返され、この折り返された部分に前記第２のアンテナを構成する導電コイルが巻回されることを特徴とする請求項１記載のアンテナ装置。
【請求項４】
前記第１の延長部は、折り畳み又は巻回された状態に形成され、この折り畳み又は巻回された状態でその周面に前記第２のアンテナを構成する導電コイルが巻回されることを特徴とする請求項１記載のアンテナ装置。
【請求項５】
平面状に形成されたシート本体と、このシート本体の中央部に設けられた孔部とを備える磁性体シートと、
前記磁性体シートのシート本体の面上に前記中央部を囲むように形成されたループ型の第１のアンテナと、
前記磁性体シートの前記第１のアンテナが形成された部分の周面に、前記孔部を通して導線コイルを巻回することにより構成されるヘリカル型の第２のアンテナと
を具備することを特徴とするアンテナ装置。
【発明の詳細な説明】
【技術分野】
【０００１】
この発明は、異なる無線信号を受信する２個のアンテナを備えたアンテナ装置に係わり、特に周波数帯域の近い無線信号を受信するアンテナ装置に関する。
【背景技術】
【０００２】
近年、携帯電話機やＰＤＡ（Personal Digital Assistant）に代表される携帯端末では、標準の移動通信インタフェースに止まらず、広帯域無線ＬＡＮ（Local Area Network）やBluetooth（登録商標）等の近距離無線システム用のインタフェースや、ＲＦＩＤ（Radio Frequency Identification）用インタフェース、ＡＭ／ＦＭラジオ放送受信機、地上波ディジタル放送受信機が搭載されるなど多機能化が進んでおり、今後もＵＷＢ（Ultra Wide band）システム等の新たな無線インタフェースの搭載が検討されている。この種の携帯端末では、搭載される複数の無線インタフェース及び受信機ごとに専用のアンテナを実装するのが一般的である。しかし、複数のアンテナを実装すると、実装面積が増えてアンテナ装置及び携帯端末の大型化を招くと共に、アンテナ間干渉による受信性能の劣化が懸念される。
【０００３】
そこで従来では、２個のループアンテナ素子と空芯ループアンテナ素子とを近接配置すると共に、上記２個のループアンテナ素子をその一方の軸芯を通る磁束が他方の軸芯を通らないように組み合わせて配置し、かつ上記空芯ループアンテナ素子をその軸芯が上記２個のループアンテナ素子の各軸芯と直交するように組み合わせて配置した構成が提案されている（特許文献１を参照。）。  
このような構成によれば、空芯ループアンテナ素子のループ内に２個のループアンテナ素子が配置されるため、アンテナ装置の小型化が期待できる。
【特許文献１】特開２００３−１５２４４２号公報
【発明の開示】
【発明が解決しようとする課題】
【０００４】
ところが、前記提案の構成では、空芯ループアンテナ素子と２個のループアンテナ素子がそれぞれ独立して構成され、これらのアンテナ素子を所定の位置関係に配置するものであるため、配置位置に位置ずれが発生しやすい。この位置ずれによりアンテナ素子間の干渉を抑えきれず、所期の受信性能を発揮できなくなる。
【０００５】
この発明は上記事情に着目してなされたもので、その目的とするところは、第１のアンテナと第２のアンテナとの間の相互干渉を簡単かつ確実に抑制して常に良好な受信性能を得られるようにしたアンテナ装置を提供することにある。
【課題を解決するための手段】
【０００６】
上記目的を達成するためにこの発明の一観点は、平面状に形成されたシート本体部とこのシート本体部からその平面と平行する第１の方向に突出するように形成された第１の延長部とを備える磁性体シートを用意し、この磁性体シートのシート本体部の面上にループ状の第１のアンテナを形成すると共に、上記磁性体シートの第１の延長部の周面に導線コイルを巻回することによりヘリカル上の第２のアンテナを設けたものである。
【発明の効果】
【０００７】
したがってこの発明によれば、第１のアンテナ及び第２のアンテナは共通の磁性体シートに設けられる。このため、第１のアンテナと第２のアンテナとは高精度の位置合わせを必要とすることなく簡単に所期の位置関係を維持することが可能となる。この結果、各アンテナは相互干渉が発生しない状態に保持されることになり、これによりそれぞれの受信品質を良好に保つことができる。
【０００８】
すなわちこの発明によれば、第１のアンテナと第２のアンテナとの間の相互干渉を簡単かつ確実に抑制して常に良好な受信性能を得られるようにしたアンテナ装置を提供することができる。
【発明を実施するための最良の形態】
【０００９】
以下、図面を参照してこの発明に係わる実施形態を説明する。  
（第１の実施形態）  
図１は、この発明に係わるアンテナ装置を備える無線通信機の第１の実施形態を示す要部分解斜視図である。この実施形態の無線通信機は折り畳み型の携帯電話機であり、図１ではその上部側の構造のみを示し、キーパッド等が配置される下部側の図示は省略している。
【００１０】
図中１は前面カバーであり、この前面カバーにはディスプレイ用の表示窓１ａが設けられている。一方、図中２は背面カバーであり、この背面カバー２には上記前面カバー１と係合する爪が設けられている。これらの前面カバー１及び背面カバー２は上部筐体を構成し、この上部筐体内には回路ユニット３が収容される。回路ユニット３は、ケース３ａにディスプレイ（図示せず）と、回路素子が装着された印刷配線基板３ｂを実装したものである。
【００１１】
ところで、上記回路ユニット３の印刷配線基板３ｂ上には、アンテナ装置４Ａが取着される。図２はアンテナ装置４Ａの構成を拡大して示す斜視図である。同図に示すようにアンテナ装置４Ａは一枚の磁性体シート４０を備える。この磁性シート４０は、高透磁率を有するフェライト材を平面シートに成形したもので、本体部４１と、この本体部４１の一辺を面と平行な状態で延長させた延長部４２ａとから構成される。
【００１２】
本体部４１の表面には、ＲＦＩＤ（Radio Frequency Identification）用のループアンテナ５１が、例えば接着又は印刷により形成される。上記磁性体シート４０の延長部４２ａ周面には導線コイルが巻回され、これにより上記磁性体シート４０の延長部４２ａをフェライトコアとするＡＭ用のヘリカルアンテナ５２が構成される。これらのＲＦＩＤ用ループアンテナ５１の両端及びＡＭ用ヘリカルアンテナ５２の両端はそれぞれ、上記印刷配線基板３ｂ上に実装された図示しないＲＦＩＤ用無線回路及びＡＭ用無線回路に接続される。
【００１３】
このような構成であるから、一枚の磁性体シート４０を用い、ＲＦＩＤ用ループアンテナ５１をこの磁性体シート４０の本体部４１の面上に形成し、かつＡＭ用ヘリカルアンテナ５２を上記磁性体シート４０の延長部４２ａの周面に巻回するだけで、これらのアンテナ５１，５２の位置関係を簡単かつ正確に最適な状態に設定することができる。しかも、このアンテナ５１，５２の位置関係は、アンテナ装置４Ａを携帯電話機に組み込む際にも、また組み込んだ後にも変化することなく維持される。この結果、ＲＦＩＤ用ループアンテナ５１の偏波は磁性体シート４０に対し直交する方向に常に保持され、これに対しＡＭ用ヘリカルアンテナ５２の偏波は磁性体シート４０の面と平行する方向に常に保持される。
【００１４】
このため、別々のフェライトコアを使用した２個のループアンテナを平面上に位置調整して配置する場合に比べ、ＲＦＩＤ用アンテナ５１及びＡＭ用アンテナ５２の位置関係を相互干渉が発生しない状態に簡単かつ安定に保つことができ、これにより両アンテナ５１，５２とも良好な受信感度を維持することが可能となる。したがって、例えばＡＭ放送を受信しながら、ＲＦＩＤ通信機能を使用して自動販売機の決裁や駅の改札口のチェックを行った場合でも、ＲＦＩＤ通信による雑音の発生を低減してＡＭ放送を良好な受信品質で視聴し続けることが可能となる。
【００１５】
（第２の実施形態）  
図３は、この発明の第２の実施形態に係わるアンテナ装置４Ｂの構成を示す斜視図である。同図において、磁性体シート４０の本体部４１の表面にはＲＦＩＤ用のループアンテナ５１が形成してある。また、磁性体シート４０の本体部４１の第１の辺には前記第１の実施形態で述べたように第１の延長部４２ａが設けてあり、さらに本体部４１の上記第１の辺と直交する第２の辺には第２の延長部４２ｂが設けてある。
【００１６】
そして、上記第１の延長部４２ａ及び第２の延長部４２ｂにはそれぞれ導線コイルが巻回され、これにより第１のヘリカルアンテナ素子５２ａ及び第２のヘリカルアンテナ素子５２ｂが構成される。これら第１及び第２のヘリカルアンテナ素子５２ａ，５２ｂは直列に接続されており、これにより１個のＡＭ用ヘリカルアンテナが構成される。
【００１７】
このような構成であるから、ＡＭ用アンテナの第１及び第２のヘリカルアンテナ素子５２ａ，５２ｂによって、磁性体シート４０の面上において互いに直交する方向の偏波が発生する。このため、携帯電話機をどのような方向に向けてもＡＭ信号を受信することが可能となり、これにより指向性を改善することができる。また、上記第１のヘリカルアンテナ素子５２ａも、また第２のヘリカルアンテナ素子５２ｂも、磁性体シート４０の延長部４２ａ，４２ｂに巻回されることにより構成されるため、磁性シート４０の面上に形成されたＲＦＩＤ用ループアンテナ５１に対し偏波の方向が直交する。このため、ＲＦＩＤ用ループアンテナ５１と上記ＡＭ用アンテナの第１及び第２のヘリカルアンテナ素子５２ａ，５２ｂとの間で相互干渉は発生し難く、これによりＡＭ信号の受信品質を良好に保つことができる。
【００１８】
（第３の実施形態）  
図４は、この発明の第３の実施形態に係わるアンテナ装置４Ｃの構成を示す斜視図である。同図において、磁性体シート４０の表面にはＲＦＩＤ用のループアンテナ５１が形成してある。また、上記磁性体シート４０にはその一辺と平行する位置に、当該磁性体シート４０の表裏間を貫通する多数の孔（図示せず）が一列に一定の間隔で設けてある。そして、これらの孔に導電コイルを通すことにより、上記磁性体シート４０の一辺部には上記ＲＦＩＤ用ループアンテナ５１と交差する状態で導電コイルが巻回される。この巻回された導電コイルはＡＭ用ヘリカルアンテナ５２を構成する。
【００１９】
このような構成であるから、ＲＦＩＤ用のループアンテナ５１とＡＭ用ヘリカルアンテナ５２は１枚の磁性体シート４０に設けられるので、アンテナ装置４Ｃを携帯電話機に組み込む際にもまた組み込んだ後でも、これらのアンテナ５１，５２の位置関係を常に最適な状態に維持することができる。このため、ＲＦＩＤ用ループアンテナ５１の偏波は磁性体シート４０に対し直交する方向に常に保持され、またＡＭ用ヘリカルアンテナ５２の偏波は磁性体シート４０の面と平行する方向に常に保持される。したがって、別々のフェライトコアを使用した２個のループアンテナを平面上に位置調整して配置する場合に比べ、ＲＦＩＤ用アンテナ５１及びＡＭ用アンテナ５２の位置関係を相互干渉が発生しない状態に安定に保つことができ、これにより両アンテナ５１，５２とも良好な受信感度を維持することが可能となる。
【００２０】
しかも、ＡＭ用ヘリカルアンテナ５２をＲＦＩＤ用ループアンテナ５１と交差する状態で上下に重ねて設けているので、前記第１及び第２の実施形態の構成に比べてアンテナ装置４Ｃの平面方向のサイズを小型化することができ、これにより携帯電話機への実装面積を縮小して、携帯電話機の小型化を図ることができる。
【００２１】
（第４の実施形態）  
図５は、この発明の第４の実施形態に係わるアンテナ装置４Ｄの構成を示す斜視図である。同図において、磁性体シート４０の表面には前記第３の実施形態と同様に、ＲＦＩＤ用のループアンテナ５１が形成してある。また、上記磁性体シート４０の第１の辺部、及びこの第１の辺部と平行する第３の辺部にはそれぞれ、上記ＲＦＩＤ用ループアンテナ５１と交差する状態で導電コイルが巻回される。この巻回された導電コイルはＡＭ用ヘリカルアンテナ５２，５３を構成する。なお、上記導電コイルの巻回は、上記第３の実施形態と同様に、磁性体シート４０の第１及び第２の片部に沿って一列に一定間隔で設けられた複数の孔を通すことにより行われる。
【００２２】
このような構成であるから、前記第３の実施形態で述べた作用効果に加えて次のような作用効果が奏せられる。すなわち、２個のＡＭ用ヘリカルアンテナ５２，５３が同一方向に配置される。このため、ＡＭ用アンテナとしての全体の磁束が強まり、上記第３の実施形態に比べてＡＭ信号の受信感度を高めることができる。
【００２３】
（第５の実施形態）  
図６は、この発明の第５の実施形態に係わるアンテナ装置４Ｅの構成を示す斜視図である。同図において、磁性体シート４０の表面には前記第３及び第４の実施形態と同様に、ＲＦＩＤ用のループアンテナ５１が形成してある。また、上記磁性体シート４０の第１の辺部と、この第１の辺部と直交する第４の辺部にはそれぞれ、上記ＲＦＩＤ用ループアンテナ５１と交差する状態で導電コイルが巻回される。この巻回された導電コイルはそれぞれヘリカルアンテナ素子５２ａ，５２ｂを構成し、これらのヘリカルアンテナ素子５２ａ，５２ｂによりＡＭ用アンテナ５２が構成される。なお、上記導電コイルの巻回は、上記第３の実施形態と同様に、磁性体シート４０の第１及び第４の片部に沿って一列に一定間隔で設けられた複数の孔を通すことにより行われる。
【００２４】
このような構成であるから、前記第３の実施形態で述べた作用効果に加えて次のような作用効果が奏せられる。すなわち、ＡＭ用アンテナの第１及び第２のヘリカルアンテナ素子５２ａ，５２ｂによって、磁性体シート４０の面上において互いに直交する方向の偏波が発生する。このため、携帯電話機をどのような方向に向けてもＡＭ信号を受信することが可能となり、これにより指向性を改善することができる。
【００２５】
（第６の実施形態）  
図７は、この発明の第６の実施形態に係わるアンテナ装置４Ｆの構成を示す平面図である。この実施形態のアンテナ装置４Ｆは、上記第５の実施形態で述べたアンテナ装置をさらに改良したもので、磁性体シート４０は第１の磁性体シート４３と第２の磁性体シート４４とから構成される。これら第１及び第２の磁性体シート４３，４４はいずれも、かぎ括弧「」形状をなす。
【００２６】
そして、上記第１及び第２の磁性体シート４３，４４は、互いに組み合わされてロ字型になるように平面上に配置され、このロ字型に配置された磁性体シート４３，４４の表面上にはＲＦＩＤ用のループアンテナ５１が形成される。一方、上記磁性体シート４３，４４のうち第１の磁性体シート４３の互いに直交する２つの辺部にはそれぞれ、上記ＲＦＩＤ用ループアンテナ５１と交差する状態で導電コイルが巻回される。この巻回された導電コイルはそれぞれヘリカルアンテナ素子５２ａ，５２ｂを構成し、これらのヘリカルアンテナ素子５２ａ，５２ｂによりＡＭ用アンテナ５２が構成される。
【００２７】
このような構成であるから、上記第５の実施形態で述べた作用効果に加えて次のような作用効果が奏せられる。すなわち、磁性体シート４０が第１の磁性体シート４３と第２の磁性体シート４４とに分割されており、さらにかぎ括弧「」型に形成されている。このため、製造工程において、磁性体シートに導電コイルを通すための孔を設ける必要がなく、さらにヘリカルアンテナ素子５２ａ，５２ｂを構成する導電コイルを簡単に巻回することができる。したがって、製造コストを安価にすることができる。
【００２８】
（第７の実施形態）  
図８は、この発明の第７の実施形態に係わるアンテナ装置４Ｇの構成を示す平面図である。同図において、磁性体シート本体部４１の一辺右半分には、シート表面と平行する方向に突出するように突出部４６が形成してある。なお、この突出部４６は、大判の磁性体シートの一つの角部分４５を切り落とすことにより形成される。  
上記磁性体シート本体部４１の表面には、前記第２の実施形態と同様にＲＦＩＤ用のループアンテナ５１が形成される。一方、上記突出部４６の周面には導線コイルが巻回され、これによりＡＭ用のヘリカルアンテナ５２が構成される。
【００２９】
このような構成であるから、前記第１の実施形態（図２）で述べた作用効果に加えて次のような効果が奏される。すなわち、磁性体シート４０の一部を切り落としているので、携帯電話機の印刷配線基板３ｂにおける実装スペースに合わせることができる。換言すれば、印刷配線基板３ｂの空スペースを利用してＡＭ用ヘリカルアンテナ５２を配置することができる。また、ＡＭ用ヘリカルアンテナ５２の巻数を増やすことができるので、ＡＭ帯のインダクタンスを増加することができる。
【００３０】
（第８の実施形態）  
図９は、この発明の第８の実施形態に係わるアンテナ装置４Ｈの構成を示す平面図である。同図において、磁性体シート本体部４１の一辺中央部には、シート表面と平行する方向に突出するように突出部４７が形成してある。なお、この突出部４７は、例えば上記第７の実施形態と同様に大判の磁性体シートの両角部分を切り落とすことにより形成される。  
上記磁性体シート本体部４１の表面には、前記第２の実施形態と同様にＲＦＩＤ用のループアンテナ５１が形成される。一方、上記突出部４７の周面には導線コイルが巻回され、これによりＡＭ用のヘリカルアンテナ５２が構成される。
【００３１】
このような構成であるから、上記第７の実施形態と同様に印刷配線基板３ｂにおける実装スペースに合わせることができる。すなわち、印刷配線基板３ｂの空スペースを利用してＡＭ用ヘリカルアンテナ５２を配置することができる。また、ＡＭ用ヘリカルアンテナ５２の巻数を増やすことができるので、ＡＭ帯のインダクタンスを増加することも可能となる。
【００３２】
（第９の実施形態）  
図１０は、この発明の第９の実施形態に係わるアンテナ装置４Ｉの構成を示す平面図である。同図において、磁性体シート本体部４１の一辺はシート面と平行する方向に延長されて延長部４８ａが形成され、さらにこの延長部４８ａと本体部４１との境界部分には切欠溝４８ｂが設けてある。
【００３３】
上記磁性体シート本体部４１の表面には、前記第２の実施形態と同様にＲＦＩＤ用のループアンテナ５１が形成される。一方、上記延長部４８ａは丸められるか又は例えば図１１に示すように折り畳まれる。そして、この折り畳まれた状態でその周面には導電コイルが巻回され、これによりＡＭ用ヘリカルアンテナ５２が構成される。
【００３４】
このような構成であるから、前記第７の実施形態（図８）で述べた作用効果に加えて次のような効果が奏される。すなわち、ＡＭ用ヘリカルアンテナ５２は丸められるか又は折り畳まれた延長部４８ａに導電コイルを巻回したものとなるため、磁性体シートの厚さが厚くなり、これによりＡＭ帯の磁束収斂効果を高めることができる。
【００３５】
（第１０の実施形態）  
図１２及び図１３は、この発明の第１０の実施形態に係わるアンテナ装置４Ｊの構成を示すもので、図１２はその平面図、図１３はその断面図である。同図において、磁性体シート本体部４１の一辺中央部には、シート表面と平行する方向に突出するように突出部４９が形成してある。なお、この突出部４９は、例えば上記第７の実施形態と同様に大判の磁性体シートの両角部分を切り落とすことにより形成される。
【００３６】
上記磁性体シート本体部４１の表面には、前記第２の実施形態と同様にＲＦＩＤ用のループアンテナ５１が形成される。一方、上記突出部４９の周面には導線コイルが巻回され、これによりＡＭ用のヘリカルアンテナ５２が構成される。そして、このＡＭ用ヘリカルアンテナ５２が設けられた突出部４９は、上記磁性体シート本体部４１との境界付近で磁性体シート本体部４１の裏面側に折り曲げられる。
【００３７】
このような構成であるから、アンテナ装置４Ｊは、ＲＦＩＤ用のループアンテナ５１が形成された磁性体シート本体部４１と、ＡＭ用ヘリカルアンテナ５２が設けられた突出部４９とが厚さ方向に重なった状態となる。このためアンテナ装置４Ｊの平面方向のサイズは小型化され、さらに印刷配線基板３ｂにおける実装スペースも縮小される。
【００３８】
なお、この場合、ＲＦＩＤ用のループアンテナ５１の磁束は磁性体シート面に対し垂直の方向に発生するため、ＡＭ用ヘリカルアンテナ５２への影響が懸念される。しかし、ＲＦＩＤ用のループアンテナ５１の磁束のうち磁性体シートの裏面方向への磁束の大半は磁性体シート４０により吸収される。このため、ＡＭ用ヘリカルアンテナ５２に対するＲＦＩＤ用のループアンテナ５１の影響は低く抑えられる。
【００３９】
（その他の実施形態）  
前記第３、第４及び第５の実施形態においては、磁性体シート４０に導電コイルをシート表面から裏面へ通すための多数の孔を設けた。しかしこれに限らず、孔の代わりに線状の溝を設けて、これに導電コイルを通すことにより磁性体シート４０に導電コイルを巻回するようにしてもよい。
【００４０】
また、前記第７、第８及び第９の実施形態では、ＡＭ用ヘリカルアンテナ５２を構成する突出部４６，４７又は折り畳まれた延長部４８ａを同一平面上に配置した。しかし、それに限らずこれらの突出部４６，４７又は延長部４８ａを前記第１０の実施形態の突出部４９のように、本体部４１との境界付近で磁性体シートの裏面又は表面へ折り曲げて磁性体シート本体に重ねるように構成してもよい。
【００４１】
さらに、前記第７、第８及び第９の実施形態では、ＡＭ用ヘリカルアンテナ５２を構成する突出部４６，４７，４９を１個設けた場合を例にとって説明した。しかし、それに限らず、図３に示すように互いに直交する方向に複数の突出部を設けて、これらの突出部にそれぞれ導電コイルを巻回してＡＭ用ヘリカルアンテナを構成するようにしてもよい。また、複数の突出部は必ずしも互いに直交する方向に設けるだけでなく、互いに平行する方向に設けるようにしてもよい。
【００４２】
その他、磁性体シートの形状やＡＭ用ヘリカルアンテナの設置数、ＲＦＩＤ用ループアンテナとＡＭ用ヘリカルアンテナとの位置関係、アンテナ装置を実装する無線装置の種類や構成等についても、この発明の要旨を逸脱しない範囲で種々変形して実施できる。  
要するにこの発明は、上記各実施形態そのままに限定されるものではなく、実施段階ではその要旨を逸脱しない範囲で構成要素を変形して具体化できる。また、上記各実施形態に開示されている複数の構成要素の適宜な組み合せにより種々の発明を形成できる。例えば、各実施形態に示される全構成要素から幾つかの構成要素を削除してもよい。さらに、異なる複数の実施形態に亘る構成要素を適宜組み合せてもよい。
【図面の簡単な説明】
【００４３】
【図１】この発明に係わるアンテナ装置を備える無線通信機の第１の実施形態を示す要部分解斜視図である。
【図２】図１に示したアンテナ装置を拡大して示す斜視図である。
【図３】この発明に係わるアンテナ装置の第２の実施形態を示す斜視図である。
【図４】この発明に係わるアンテナ装置の第３の実施形態を示す斜視図である。
【図５】この発明に係わるアンテナ装置の第４の実施形態を示す斜視図である。
【図６】この発明に係わるアンテナ装置の第５の実施形態を示す斜視図である。
【図７】この発明に係わるアンテナ装置の第６の実施形態を示す斜視図である。
【図８】この発明に係わるアンテナ装置の第７の実施形態を示す斜視図である。
【図９】この発明に係わるアンテナ装置の第８の実施形態を示す斜視図である。
【図１０】この発明に係わるアンテナ装置の第９の実施形態を示す斜視図である。
【図１１】図１０に示したアンテナ装置の要部構成を示す斜視図である。
【図１２】この発明に係わるアンテナ装置の第１０の実施形態を示す平面図である。
【図１３】図１２に示したアンテナ装置の断面図である。
【符号の説明】
【００４４】
１…前面カバー、２…背面カバー、３…回路ユニット、３ａ…ケース、３ｂ…印刷配線基板、４Ａ〜４Ｊ…アンテナ装置、４０…磁性体シート、４１，４３，４４…磁性体シートの本体部、４２ａ，４２ｂ，４８ａ…磁性体シートの延長部、４５…磁性体シートの切欠部、４６，４７，４９…磁性体シートの突出部、４８ｂ…磁性体シートの切欠溝、５１…ＲＦＩＤ用ループアンテナ、５２，５２ａ，５２ｂ，５３…ＡＭ用ヘリカルアンテナ。
【図１】
2008042761.tif 000003
【図２】
2008042761.tif 000004
【図３】
2008042761.tif 000005
【図４】
2008042761.tif 000006
【図５】
2008042761.tif 000007
【図６】
2008042761.tif 000008
【図７】
2008042761.tif 000009
【図８】
2008042761.tif 000010
【図９】
2008042761.tif 000011
【図１０】
2008042761.tif 000012
【図１１】
2008042761.tif 000013
【図１２】
2008042761.tif 000014
【図１３】
2008042761.tif 000015